(57)【要約】【課題】本発明は、被包装物が収容されてなる袋状包装体を、容器本体側に貼着することができ、しかも、容器本体側に表示された表示部を、袋状包装体が支障になることなく、視認することができるようにすることを課題とする。【解決手段】袋状包装体付き容器としての特徴は、容器本体の表面に、袋状包装体を貼着した袋状包装体付き容器において、前記袋状包装体は、透明で且つ容器本体に貼着される貼着部を有する基材シートと、該基材シートとの間で被包装物を収容する外シート体を備え、前記基材シートには切り込みが形成され、被包装物及び外シート体がめくり上げ可能に構成されていることにある。【選択図】    図１
2004291993.tif 000002
【特許請求の範囲】
【請求項１】
容器本体の表面に、袋状包装体を貼着した袋状包装体付き容器において、前記袋状包装体は、透明で且つ容器本体に貼着される貼着部を有する基材シートと、該基材シートとの間で被包装物を収容する外シート体を備え、前記基材シートには切り込みが形成され、被包装物及び外シート体がめくり上げ可能に構成されていることを特徴とする袋状包装体付き容器。
【請求項２】
容器本体の表面に、袋状包装体を貼着した袋状包装体付き容器において、前記袋状包装体は、容器本体に貼着される貼着部を上部に有する基材シートと、該基材シートとの間で被包装物を収容する外シート体を備え、前記基材シートの上部を支点にして、被包装物及び外シート体がめくり上げ可能に構成されていることを特徴とする袋状包装体付き容器。
【請求項３】
透明で且つ容器本体に貼着される貼着部を有する基材シートと、該基材シートとの間で被包装物を収容する外シート体を備え、前記基材シートには、被包装物及び外シート体をめくり上げ可能とする切り込みが形成されていることを特徴とする袋状包装体。
【請求項４】
前記請求項３に記載の多数の袋状包装体が、長尺状の離型紙に貼着されてなることを特徴とする包装体付属シート供給帯状体。
【発明の詳細な説明】
【０００１】
【発明の属する技術分野】
本発明は、例えば、容器本体に貼着されるカード等の被包装物を包装してなる袋状包装体付き容器及び袋状包装体並びに包装体付属シート供給帯状体に関する。
【０００２】
【従来の技術】
従来、例えば、液体洗剤、漂白剤、仕上げ剤等の液体を収容する容器として、容器本体の首部に販売促進等の観点から冊子やカード、試供品等の被包装物が外シート体に収容されてなる袋状包装体を吊り下げたものがある。
【０００３】
【発明が解決しようとする課題】
前記従来例の容器は、容器本体の首部に袋状包装体が吊り下げられたものであるため、吊り下げ作業効率が悪くなる。特に、容器のヘッド部が首部よりも水平方向に突出している場合には、袋状包装体を首部に自動的に吊り下げることが困難であるため、かかる吊り下げ作業は手作業で行っているのが現状である。
【０００４】
また、前記袋状包装体を容器本体側に貼着する場合もあるが、かかる場合は、袋状包装体が、容器本体の表面に表示された表示部（注意書きや効能書き等の表示）を覆ってしまうため、該表示部が視認できないという問題があった。
【０００５】
そこで本発明は、上記従来の問題点に鑑みてなされたもので、被包装物が収容されてなる袋状包装体を、容器本体側に貼着することができ、しかも、容器本体側に表示された表示部を、袋状包装体が支障になることなく、視認することができるようにすることを課題とする。
【０００６】
【課題を解決するための手段】
本発明は、上記課題を解決すべく袋状包装体付き容器及び袋状包装体並びに包装体付属シート供給帯状体としてなされたものであり、袋状包装体付き容器としての特徴は、容器本体の表面に、袋状包装体を貼着した袋状包装体付き容器において、前記袋状包装体は、透明で且つ容器本体に貼着される貼着部を有する基材シートと、該基材シートとの間で被包装物を収容する外シート体を備え、前記基材シートには切り込みが形成され、被包装物及び外シート体がめくり上げ可能に構成されていることにある。
【０００７】
そして、被包装物及び外シート体を上方にめくることにより、該被包装物及び外シート体で覆われて視認できなかった容器本体側の表示部を視認することができる。特に、基材シートの貼着部分は透明であることから、貼着部で被覆されている容器本体側の表示部を視認することができる。
【０００８】
容器本体の表面に、袋状包装体を貼着した袋状包装体付き容器において、前記袋状包装体は、容器本体に貼着される貼着部を上部に有する基材シートと、該基材シートとの間で被包装物を収容する外シート体を備え、前記基材シートの上部を支点にして、被包装物及び外シート体がめくり上げ可能に構成されていることにある。
そして、基材シートと共に被包装物及び外シート体がめくり上げることにより、容器本体側の表示部を直接視認することができる。
【０００９】
袋状包装体としての特徴は、透明で且つ容器本体に貼着される貼着部を有する基材シートと、該基材シートとの間で被包装物を収容する外シート体を備え、前記基材シートには、被包装物及び外シート体をめくり上げ可能とする切り込みが形成されていることにある。
【００１０】
そして、かかる袋状包装体は、貼着部を介して容器本体の表面に貼着できるので、その貼着作業は簡単に行える。
【００１１】
包装体付属シート供給帯状体としての特徴は、前記請求項３に記載の多数の袋状包装体が、長尺状の離型紙に貼着されてなることにある。
【００１２】
かかる包装体付属シート供給帯状体は、周知のタックラベラーに装着して、搬送されてくる容器本体に袋状包装体を連続的に貼着できる。
【００１３】
【発明の実施の形態】
以下、本発明の実施の形態について図面を参酌しつつ説明する。図１〜図５は、本発明の一実施の形態を示し、図１〜図３に示す如く袋状包装体付き容器は、袋状包装体１が容器本体２に貼着されたものである。
【００１４】
前記容器本体２は、例えば、ポリエチレンやポリプロピレン製等のブローボトル、ガラス瓶や金属缶からなる。該容器本体２には、シャンプー、化粧品類、液体洗剤、ガラスクリーナ、カビ取り洗剤、洗濯糊、ソース、調味料、食品、薬品等の液体や粉体（内容物）が充填されている。容器本体２は、上下方向に伸びる外周面を有する胴部３と、該胴部３から上方に延設された小径の口部５とから構成されている。胴部３の水平断面形状は、例えば、矩形や楕円形等の非円形又は円形の任意の形状が設定可能であるが、本実施の形態では、矩形のものを例示する。尚、胴部３には、適宜位置に表示部７を有するシュリンクラベル６が外嵌装着されていると共に、口部５にはキャップ８が螺合されて開口部が封止されている。
【００１５】
前記袋状包装体１は、基材シート１０及び外シート体１１を備えている。前記基材シート１０は、例えば、透明のプラスチックフィルム等の可撓性を有する単層又は複層材料からなる。尚、透明とは、無色透明は無論、有色の半透明も含み、透視できる状態をいう。前記基材シート１０は、例えば矩形状を呈しており、略Ｕ字状等の切り込み１３が形成されている。具体的には、図３及び図４（イ）に示す如く、切り込み１３は、一対の縦切り込み１３ａと、両方の縦切り込み１３ａの下端に連結する横切り込み１３ｂからなる。
【００１６】
また、前記基材シート１０の内面１０ａには粘着剤層１４が塗布されている。該粘着剤層１４は、基材シート１０の全面に設けても、一部に設けても良い。具体的には、粘着剤層１４を基材シート１０の全面に設けた場合には、印刷によるマスキング（糊抑え）等が施されてなる非粘着部１７が、図４（イ）にドットで示す環状に形成されている。非粘着部１７の内周縁１７ａは、切り込み１３よりも内側に位置するか、切り込み１３上に位置している。
【００１７】
ここで、基材シート１０における粘着剤層１４の粘着力を有する部分（切り込み１３で区画された内側部分）が、容器本体２の胴部３の表面に粘着される貼着部１６となる。尚、粘着剤層１４が基材シート１０の一部に設けられるとは、粘着剤層１４を貼着部１６のみに設け、それ以外の部分には、粘着剤層１４を設けないことである。粘着剤層１４を貼着部１６のみに設けた構成によれば、３次曲面を有する被着体であっても、その外表面に貼着部１６を沿わせて貼り付けることができ、被包装物が平板状で折り曲げ難いものであっても支障がない。
尚、粘着剤層１４と非粘着部１７は、貼着部１６のみでなく縦切り込み１３ａの上端を連結する線上よりも上の部分も貼着力を有するようにに設けても良い。
【００１８】
前記基材シート１０は、容器本体２の胴部３の表面に貼着部１６が貼着され、且つ、貼着部１６の上端を支点にして、基材シート１０の略Ｕ字状の非粘着部分は上方に屈曲させることが可能である。
【００１９】
外シート体１１は、ポリエチレンやポリプロピレン等の単層フィルムあるいは、ポリエステルやナイロン等のフィルムの内面にポリエチレン等の熱融着性樹脂を積層したラミネートフィルム等から形成されたものである。
【００２０】
そして、外シート体１１は、前記基材シート１０と略同一形状を呈し、且つ、被包装物１８を収容すべく、その周部１１ａが前記基材シート１０の周部１ａに熱シールされている。ここで、外シート体１１と基材シート１０の切り込み１３よりも外側部との間で、切り込み１３を開口縁とする収納部２０が形成されている。尚、外シート体１１は、透明であっても不透明であっても良く、文字や絵柄等の表示（図示省略）が適宜印刷されている。
【００２１】
前記被包装物１８としては、液体、粉体、固体のいずれでも良く、また、板状や粒状のものでも良い。具体的には、商品の説明書、注意書等の冊子、液体洗剤、シャンプー、リンス、化粧液、ソースやドレッシング等、粉末洗剤、医薬品、食品、カードや写真、薄型玩具等が例示できる。尚、液体及び粉体の場合には、小袋に収納されている。被包装物１８は、その幅長（水平方向の長さ）は、前記切り込み１３の縦切り込み１３ａの間隔よりも大きく設定されており、両側部１８ａ、１８ａ及び下部１８ｂが、前記収納部２０に収納されている。
【００２２】
本実施の形態の袋状包装体付き容器は、以上の構成からなり、次にその使用例について説明する。
先ず、被包装物１８が収容等された袋状包装体１を、長尺状の離型紙２３上に多数且つ断続して貼着させることにより、包装体付属シート供給帯状体２５を製造する（図５参照）。
【００２３】
次に、かかる包装体付属シート供給帯状体２５を、図示省略のタックラベラーに装着し、袋状包装体１を離型紙２３から剥離させることにより、コンベア（図示省略）により起立した状態又は、横倒した状態で移送されてきた容器本体２に、袋状包装体１を貼着する。前記の如くタックラベラーによって、袋状包装体１を効率良く容器本体２に自動的に貼着して添付することができるが、手作業による場合であっても、袋状包装体１を離型紙２３から剥離して粘着剤層１４によって容器本体２に貼着するだけの簡単な作業で行うことができるため効率が良い。
【００２４】
袋状包装体付き容器は、容器本体２に貼着された袋状包装体１が、図１及び図３に示す如く、該基材シート１０と外シート体１１との間で被包装物１８を収容した状態（被包装物１８が容器本体２の胴部３に沿うように垂れた状態）で製造工場から出荷され、店頭に陳列される。
【００２５】
店頭において、購入者が、袋状包装体１の下部を持ち上げると、基材シート１０及び外シート体１１は可撓性を有するため、基材シート１０の非貼着部分、外シート体１１及び被包装物１８を暖簾の如く、上方にめくることができる。このとき、外シート体１１及び被包装物１８で覆われていたシュリンクラベル６の表示部７を視認することができる。特に、基材シート１０の貼着部１６は、容器本体２に貼着された状態であるが、貼着部１６は透明であることから、貼着部１６が、図３に示す如く容器本体２の胴部３に装着されたシュリンクラベル６の表示部７を覆っている場合で合っても、貼着部１６を透してその表示部７を視認することができる。
【００２６】
また、購入者が、袋状包装体１をめくった際に、被包装物１８も一緒に持ち上げられるが、被包装物１８は、前記収納部２０に収納された状態であるため、落下するおそれはない。
【００２７】
シュリンクラベル６の表示部７を視認した後は、基材シート１０及び外シート体１１は可撓性を有するため、元のめくる前の状態に復元させることが可能である。被包装物１８を取り出す場合には、袋状包装体１全体を容器本体２から剥離し、基材シート１０及び外シート体１１を剥離して取り出したり、または、基材シート１０及び外シート体１１を剥離することなく、基材シート１０の切り込み１３によって形成された開口から取り出す。基材シート１０の切り込み１３から被包装物１８を取り出す場合には、被包装物１８は、収納部２０に収納された部分を除いて露出するため、容易に取り出すことができる。
【００２８】
図６及び図７に他の実施の形態を示す。本実施の形態の袋状包装体１は、粘着剤層１４が基材シート１０の上部に設けられている。また、基材シート１０の上下方向の中央部で且つ基材シート１０の全幅にわったって、切り込み１３が形成されている。尚、前記同一部材は同一符号を付してその説明は省略する。
【００２９】
かかる実施の形態の基材シート１０は、粘着剤層１４の設けられた上部分（切り込み１３よりも所定の間隔を有した部分）が、容器本体２側に固定されている。従って、袋状包装体１の下部を持ち上げると、基材シート１０及び外シート体１１は可撓性を有するため、基材シート１０の非貼着部１７、外シート体１１及び被包装物１８を暖簾の如く、基材シート１０の上部を支点にしてめくり上げることができる。このとき、図６に仮想線で示す如く、基材シート１０の非貼着部１７の全体を、被包装物１８及び外シート体１１と共にめくり上げることにより、容器本体２の胴部３に装着されたシュリンクラベル６の表示部７を、直接に視認することができる。
【００３０】
そして、被包装物１８を取り出す場合には、基材シート１０の切り込み１３によって形成された開口から容易に取り出すことができる。
【００３１】
尚、図６及び図７に示す実施の形態の変形例として、粘着剤層１４が基材シート１０の上縁からミシン目の近傍まで設けられているものであっても良い。かかる変形例は、基材シート１０の非貼着部分をめくり上げることにより、ミシン目を破断することが可能となり、被包装物１８の取り出しが容易となる。
【００３２】
本実施の形態は前記実施の形態に限定されるものではなく、例えば、袋状包装体１は、シュリンクラベルが外嵌装着されていない容器本体２の表面に直接に貼着しても良い。かかる場合には、容器本体２の表面に表示部が直接に設けられている。
【００３３】
【発明の効果】
以上のように、本発明の袋状包装体は、透明で且つ容器本体に貼着される貼着部を有する基材シートと、該基材シートとの間で被包装物を収容する外シート体を備え、前記基材シートには切り込みが形成され、被包装物及び外シート体をめくり上げ可能に構成されているので、袋状包装体を容器本体の被貼着面に容易に貼着でき、しかも、袋状包装体をめくり上げて容器本体側の表示を視認することができる利点がある。
【００３４】
また、本発明の包装体付属シート供給帯状体は、周知のタックラベラーに装着して、搬送されてくる容器本体に袋状包装体を連続的に貼着できる。
【図面の簡単な説明】
【図１】本発明の一実施形態を示す一部断面を含む側面図である。
【図２】同袋状包装体をめくった状態を示す一部断面を含む側面図である。
【図３】同斜視図である。
【図４】（イ）は一部破断を含む正面図、（ロ）は（イ）のＡ−Ａ線矢視断面図である。
【図５】包装体付属シート供給帯状体の一部を示す正面図である。
【図６】本発明の他の実施形態を示す一部断面を含む側面図である。
【図７】包装体を示し、（イ）は正面図、（ロ）は（イ）のＢ−Ｂ線矢視断面図である。
【符号の説明】
１…袋状包装体、２…容器本体、１０…基材シート、１１…外シート体、１６…貼着部、１８…被包装物
【図１】
2004291993.tif 000003
【図２】
2004291993.tif 000004
【図３】
2004291993.tif 000005
【図４】
2004291993.tif 000006
【図５】
2004291993.tif 000007
【図６】
2004291993.tif 000008
【図７】
2004291993.tif 000009